(57)【要約】      （修正有）【課題】空気の循環および気流の流動降下を増進させる送風装置を提供する。【解決手段】殻体１に少なくとも１つの第１吸入口１３と少なくとも１つの第２吸入口１４を設け、該外殻体と内マスク体２の間に空気を第１高速気流にすることができる第１ファン１６１を有する第１高圧発生部を形成し、該外殻体と該内マスク体の間に第１高速気流を吹き出させる第１吹出口１９１を形成し、該第１吸入口、該第１高圧発生部及び該第１吹出口を形成し、該第１吸入口、該第１高圧発生部及び該第１吹出口を第１気流通路にさせる。該内マスク体内に該少なくとも１つの第２吸入口に連通し、空気を第２高速気流にする第２ファン２３１を有する第２高圧発生部を有し、該内マスク体の前方に該第２高速気流を吹き出させる第２吹出口２６１を形成し、該第２吸入口、該第２高圧発生部及び該第２吹出口を該第１気流通路と相互に隔離された第２気流通路とさせる。【選択図】図１
2018128013.tif 000002
【特許請求の範囲】
【請求項１】
外殻体と、前記外殻体内に設けられる内マスク体と、を含み、
前記外殻体に前記外殻体外部の空気を吸入できる少なくとも１つの第１吸入口及び少なくとも１つの吸入口を設け、前記外殻体及び前記内マスク体の間に第１高圧発生部を形成し、前記第１高圧発生部は、前記空気を第１高速気流にさせることができる第１ファン、および前記第１ファンの回転を駆動するモータを有し、前記モータの出力軸の一端に前記第１ファンを接続し、前記外殻体及び前記内マスク体の間に前記第１高速気流を吹き出させる環形第１吹出口を形成し、前記第１吸入口、前記第１高圧発生部及び前記第１吹出口を第１気流通路とし、
前記内マスク体内に前記第２吸入口に連通する第２高圧発生部を有し、前記第２高圧発生部に前記空気を第２高速気流にすることができる第２ファンを有し、前記モータの前記出力軸の他端が前記第２ファンに接続し、前記内マスク体前方に前記第２高速気流を吹き出させる環形第２吹出口を形成し、前記第２吸入口、前記第２高圧発生部および前記第２吹出口を前記第１気流通路と互いに隔離した第２気流通路とさせる、送風装置。
【請求項２】
前記殻体は、前殻および後殻が突き合わせされてなり、前記第１吸入口は、前記後殻背面中央に設けられ、前記第２吸入口は、前記後殻内側に取り付けられる中隔マスクの外周縁に設けられる請求項１に記載の送風装置。
【請求項３】
前記中隔マスクは、前記第１吸入口に対応する位置に前記空気を通過させ且つ互いに連通した少なくとも１つの貫通孔を開設し、前記第１高圧発生物に中隔マスクおよび前記内マスク体の間に位置させる請求項２に記載の送風装置。
【請求項４】
前記第１ファンは、インペラー又はブレードから選ばれる請求項１に記載の送風装置。
【請求項５】
前記後殻は、前記第２吸入口に対応する位置に少なくとも１つの第１通孔を開設し、前記内マスク体は、前記第２吸入口に対応する位置に互いに連通する少なくとも１つの第２通孔を開設する請求項２に記載の送風装置。
【請求項６】
前記後殻背面に背面蓋を更に取り付け、前記背面蓋は、前記第１吸入口に対応する位置にそれぞれ少なくとも１つの第１吸気口および少なくとも１つの第２吸気口を開設する請求項２に記載の送風装置。
【請求項７】
前記背面蓋及び前記後殻の間に前記外殻体内に進入する前記空気をろ過できるろ過装置を設ける請求項６に記載の送風装置。
【請求項８】
前記内マスク体は、前マスクおよび後マスクにより突き合わせられ、前記後マスク前方にガイド蓋を取り付け、前記ガイド蓋は、前記第２ファンに向けた位置に前記空気を通過させるガイド孔を開設する請求項１に記載の送風装置。
【請求項９】
前記モータは、前記後マスク背面に取り付けられ、更に、保護蓋は、前記モータを覆った後、前記保護蓋を前記後マスク背面に取り付けられる請求項８に記載の送風装置。
【請求項１０】
前記第２吹出口は、前記第２高速気流を通過させる隔離部材を設ける請求項１に記載の送風装置。
【請求項１１】
前記隔離部材は、制御ボックスであり、前記制御ボックスは、前記内マスク体の内壁に取り付けられ、前記第２吹出口に位置し、前記第２吹出口及び前記制御ボックスの間は、前記第２高速気流を通過させる環形開口を予め保留する請求項１０に記載の送風装置。
【請求項１２】
前記隔離部材は、前記第２吹出口に取り付けられる隔離網である請求項１０に記載の送風装置。
【請求項１３】
前記第２ファン及び前記第２吹出口の間の前記内マスク体内部にヒータを取り付ける請求項１に記載の送風装置。
【発明の詳細な説明】
【技術分野】
【０００１】
本発明は、送風装置に関し、特に、２つのアクティブな気流流路を有する送風装置に関する。
【背景技術】
【０００２】
送風装置を利用して空気の循環及び気流を発生させることは公知技術である。例えば、中国特許公告第ＣＮ１０４２０４５４３Ｂ号特許（ＰＣＴ国際公告第ＷＯ２０１３／１４０７３９ＪＡ特許に対応）は、空気の循環および気流を発生させる送風装置を開示している。
【０００３】
該送風装置は、殻体と、該殻体外から空気を取り込む少なくとも１つの吸気口と、該空気を高圧空気にさせるインペラー及び該インペラーを駆動するモータを有する高圧空気発生部と、該高圧空気を吹き出す環形吹出口と、該高圧空気を該インペラーから該吹出口まで誘導する第１流路と、該吹出口により吹き出される該高圧空気を誘導して該空気を吸入する複数の誘導空気吸入口と、該誘導空気吸入口に吸入した該空気を混合する誘導空気混合部と、該誘導空気混合部の誘導空気を吹き出す誘導空気吹出口と、該誘導空気吸入口、該誘導空気混合部及び該誘導空気吹出口を接続する第２流路と、を含む。
【０００４】
従って、該高圧空気発生部内部の該モータが該インペラーの回転を駆動する時、発生する該高圧空気を該環形吹出口から吹き出し、アクティブな高速気流を形成し、該高圧空気並びに該殻体外殻誘導した該空気は、該誘導空気吸入口から吸入された後、該誘導空気混合部で混合され、該誘導空気吹出口から吹き出され、受動式低速気流を形成する。
【０００５】
該環状アクティブな高速気流及び該柱状受動式低速気流が一緒に流動する時、両者の流速の相違により、環状アクティブな高速気流及び該柱状受動式低速気流の移動距離も遠近の差異を有し、遠方の区域で予期する清涼感を得ることが困難であり、改善が期待される。
【先行技術文献】
【特許文献】
【０００６】
【特許文献１】中国特許公告第ＣＮ１０４２０４５４３Ｂ号特許
【発明の概要】
【発明が解決しようとする課題】
【０００７】
本願の目的は、外殻体内に内マスク体を取り付け、該外殻体及び該内マスク体の間にそれぞれ相互に隔離され且つ気流が互いに干渉しない第１気流通路および第２気流通路を形成し、第１高圧発生部を有する該第１気流通路は、アクティブな第１高速気流を発生し、第２高圧発生部を有する該第２気流通路は、アクティブな第２高速気流を発生することができ、該アクティブな第１、第２高速気流は、受動式低速気流の移動距離が短いという欠点を克服でき、空気の循環および気流の流動降下を増進させる送風装置を提供することにある。
【課題を解決するための手段】
【０００８】
前述の目的を達成するため、本発明の送風装置は、外殻体と、前記外殻体内に設けられる内マスク体と、を含み、前記外殻体に前記外殻体外部の空気を吸入できる少なくとも１つの第１吸入口及び少なくとも１つの吸入口を設け、前記外殻体及び前記内マスク体の間に第１高圧発生部を形成し、前記第１高圧発生部は、前記空気を第１高速気流にさせることができる第１ファン、および前記第１ファンの回転を駆動するモータを有し、前記モータの出力軸の一端に前記第１ファンを接続し、前記外殻体及び前記内マスク体の間に前記第１高速気流を吹き出させる環形第１吹出口を形成し、前記第１吸入口、前記第１高圧発生部及び前記第１吹出口を第１気流通路とし、前記内マスク体内に前記第２吸入口に連通する第２高圧発生部を有し、前記第２高圧発生部に前記空気を第２高速気流にすることができる第２ファンを有し、前記モータの前記出力軸の他端が前記第２ファンに接続し、前記内マスク体前方に前記第２高速気流を吹き出させる環形第２吹出口を形成し、前記第２吸入口、前記第２高圧発生部および前記第２吹出口を前記第１気流通路と互いに隔離した第２気流通路とさせる。
【発明の効果】
【０００９】
本発明の実施による増益の効果は、該外殻体および該内マスク体の間にそれぞれ互いに隔離され、且つ気流が相互に干渉しない第１気流通路および第２気流通路を形成し、第１高圧発生部を有する該第１気流通路がアクティブな第１高速気流を発生でき、第２高圧発生部を有する第２気流通路がアクティブな第２高速気流を発生でき、該アクティブな第１、第２高速気流が受動式の低速気流の移動距離が短い欠陥を克服し、空気の循環及び気流の流動効果を増進することができる。また、該第１高圧発生部および該第２高圧発生部の該第１ファン及び該第２ファンは、単一のモータにより同軸駆動され、該送風装置の体積を縮小でき、同類物品に見られない優れた構造ということができる。
【図面の簡単な説明】
【００１０】
【図１】本発明の送風装置の組み立て後の２つの異なる視角の立体分解図である。
【図２】本発明の送風装置の組み立て後の２つの異なる視角の立体分解図である。
【図３】本発明の送風装置の組み立て後の２つの異なる視角の立体図である。
【図４】本発明の送風装置の組み立て後の２つの異なる視角の立体図である。
【図５】図４の線Ａ−Ａに沿って切り取った断面図である。
【図６】図４の線Ｂ−Ｂに沿って切り取った断面図である。
【図７】本発明の送風装置の第２実施例の断面図である。
【図８】本発明の送風装置の第３実施例の断面図である。
【発明を実施するための形態】
【００１１】
先ず、図１〜図６を参照し、基本的に、本発明の送風装置は、外殻体１、及び該外殻体１に設けられる内マスク体２を含む。
【００１２】
該外殻体１は、前殻１１および後殻１２を突き合わせて球体にし、該外殻体１は、少なくとも１つの第１吸入口１３および少なくとも１つの第２吸入口１４を設け、該外殻体１外部の空気３（図５、図６に表示）を該外殻体１内に吸入する。図１及び図２に示すように、該少なくとも１つの第１吸入口１３は、該後殻１２背面中央に設けられ、該少なくとも１つの第２吸入口１４は、該後殻１２内側に接続される中隔マスク１５の該周縁に設けられる。
【００１３】
該中隔罩１５は、該少なくとも１つの第１吸入口１３に対応する位置に該空気３を通過させ且つ互いに連通する少なくとも１つの貫通孔１５１を開設し、該外殻体１、例えば、該中隔マスク１５及び該内マスク体２の間に第１高圧発生部１６（図５に表示）を形成し、該第１高圧発生部１６は、該空気３を第１高速気流３１とさせることができる第１ファン１６１、例えば、インペラー又はファン及び該第１ファン１６１の回転を駆動するモータ１７、例えば、モータを有する。該モータ１７の出力軸１７１の一端は、該第１ファン１６１を接続する。該後殻１２は、該少なくとも１つの第２吸入口１４に対応する位置に少なくとも１つの第１通路１２１を開設する。
【００１４】
該後殼１２背面に更に、背面蓋１８を取り付け、該背面蓋１８は、該少なくとも１つの第１吸入口１３及び該少なくとも１つの第２吸入口１４に対応する位置にそれぞれ少なくとも１つの第１吸気口１８１及び少なくとも１つの第２吸気口１８２を開設し、該空気３に該少なくとも１つの第１吸入口１３及び該少なくとも１つの第２吸入口１４を円滑に通過させ、該外殻体１１内に進入させることができる。
【００１５】
空気ろ過機能を提供するため、該背面蓋１８および該後殻１２の間にろ過装置、例えば、フィルタ網（公知であり、図示せず）を設け、該外殻体１内に進入する該空気３をろ過することができる。
【００１６】
該内マスク体２は、該外殻体１内部に取り付けられ、該外殻体１および該内マスク体２の間に該第１高速気流３１を吹き出させる環形第１吹出口１９１を形成し、該少なくとも１つの第１吸入口１３、該第２高圧発生部１６および該第１吹出口１９１を第１気流通路１９とし（図５に表示）、該空気３を該第１ファン１６により運転及び移動させた後、発生する該第１高速気流３１を該第１吹出口１９１から吹き出すことができる。
【００１７】
該内マスク体２は、前マスク２１及び後マスク２２を突き合わせて中空体とし、該モータ１７は、該後マスク２２背面に取り付けられ、また、保護蓋１７２で該モータ１７を覆った後、該保護蓋１７２を該後マスク２２背面に取り付け、該モータ１７を保護する。そのうち、該後マスク２２は、該少なくとも１つの第２吸入口１４に対応する位置に互いに連通する少なくとも１つの第２通孔２２１を開設し、該空気３に該少なくとも１つの第１通孔１２１、該少なくとも１つの第２吸入口１４及び該少なくとも１つの第２通孔２２１を通過させ、該内マスク体２に形成される第２高圧発生部２３（図６に表示）に到達させ、該第２高圧発生部２３は、該空気３を第２高速気流３２にさせる第２ファン２３１、例えば、インペラー又はブレードを有する。
【００１８】
該内マスク体２前方は、該第２高速気流３２を吹き出させる環形第２吹出口２６１を形成し、該少なくとも１つの第２吸入口１４、該第２高圧発生部２３および該第２吹出口２６１を第２気流通路２６（図６に表示）にさせる。
【００１９】
該モータ１７の該輸出軸１７１の他端に該第２ファン２３１を接続する。従って、該モータ１７の起動時、該出力軸１７１は、該第１ファン１６１および該第２ファン２３１の回転を同期して連動し、それぞれに互いに干渉しない該第１高速気流３１および該第２高速気流３２を形成させる。
【００２０】
該内マスク体２内に該空気３を集中する効果を形成させるため、該後マスク２２前方にガイド蓋２５を取り付け、該ガイド蓋２５は、該第２ファン２３１へ向けた位置ガイド孔２５１を開設し、該少なくとも１つの第２通孔２２１を通過した該空気３を該ガイド孔２５１によって集中させた後、該第２ファン２３１により運転、推移させた後、発生する該第２高速気流３２を該第２吹出口２６１から吹き出させる。
【００２１】
従って、該第１気流通路１９内の該第１高圧発生部１６が発生する第１高速気流３１が該第１吹出口１９１から直線的に吹き出し、該第２気流通路２６内の該第２高圧発生部２３が発生する第２高速気流３２が該第２吹出口２６１から直線的に吹き出す。該第１高速気流３１及び該第２高速気流３２は、何れもアクティブな高速気流であり、従って、直線的に進行できる以外に、該第１高速気流３１及び該第２高速気流３２の移動距離を一致するように接近させることができ、２股の気流の遠近距離の差異がもたらす欠陥がなく、予期する空気循環及び清涼感を得ることができる。
【００２２】
また、子供が該第２ファン２３１に誤って接触して起こり得る傷害を回避するため、該第２吹出口２６１に該第２高速気流３２を通過させることができる隔離部材４を設け、該隔離部材４の第１実施例は、制御ボックス４１であり、該制御ボックス４１は、該前マスク２１内壁に取り付けられ、該第２吹出口２６１に位置し、該第２吹出口２６１及び該制御ボックス４１の間に該第２高速気流３２を通過させる環形開口を予め保留する。そのうち、該制御ボックス４１の実施時、温度、時間又は風速を表示できる表示スクリーン４１１を有し、該表示スクリーン４１１がタッチスクリーンである場合、更に、開閉、風速又は時間を制御できる少なくとも１つのタッチキー４１２を含み、使用者の操作を便利にする。
【００２３】
図７を参照し、それは、該送風装置の第２実施例の説明図であり、本実施例は、第１実施例に示すのと同じ符号を同じ部材を示すことに用い、本実施例と前記実施例は、多くの共通の部材を有するので、本実施例と該第１実施例の差異のみを以下に説明する。該隔離部材４の実施時、該第２吹出口２６１に取り付ける隔離網４２が、風量の出力を増大でき、該第２ファン２３１は、ブレードを採用し、吹き出す該第２高速気流３２に渦巻状を形成させることができる。
【００２４】
図８を参照し、それは、該送風装置の第３実施例の説明図であり、本実施例は、第１実施例に示すのと同じ符号を同じ部材を示すことに用い、本実施例と前記実施例は、多くの共通の部材を有するので、本実施例と該第１実施例の差異のみを以下に説明する。該隔離部材４の実施時、隔離膜４２を採用し、風量の出力を増大し、該第２ファン２３１は、ブレードを採用し、吹き出させる該第２高速気流３２に直線状を形成させ、該第２ファン２３１及び該第２吹出口２６１の間の該内マスク体２内部にヒータ５を取り付け、該送風装置に暖かい空気を送る機能をもたせる。
【００２５】
従って、本発明の実施による増益の効果は、該外殻体および該内マスク体の間にそれぞれ互いに隔離され、且つ気流が相互に干渉しない第１気流通路および第２気流通路を形成し、第１高圧発生部を有する該第１気流通路がアクティブな第１高速気流を発生でき、第２高圧発生部を有する第２気流通路がアクティブな第２高速気流を発生でき、該アクティブな第１、第２高速気流が受動式の低速気流の移動距離が短い欠陥を克服し、空気の循環及び気流の流動効果を増進することができる。また、該第１高圧発生部および該第２高圧発生部の該第１ファン及び該第２ファンは、単一のモータにより同軸駆動され、該送風装置の体積を縮小でき、同類物品に見られない優れた構造ということができる。
【００２６】
上記の実施例は、本発明の実施形態を例示すること、及び本発明の技術特徴を理解することに用いるものであり、本発明の保護範疇を制限することに用いるのではない。
【符号の説明】
【００２７】
１  外殻体
１１  前殻
１２  後殻
１２１  第１通孔
１３  第１吸入口
１４  第２吸入口
１５  中隔マスク
１５１  貫通孔
１６  第１高圧発生部
１６１  第１ファン
１７  モータ
１７１  出力軸
１７２  保護蓋
１８  背面蓋
１８１  第１吸気口
１８２  第２吸気口
１９  第１気流通路
１９１  第１吹出口
２  内マスク体
２１  前マスク
２２  後マスク
２２１  第２通孔
２３  第２高圧発生部
２３１  第２ファン
２５  ガイド蓋
２５１  ガイド孔
２６  第２気流通路
２６１  第２吹出口
３  空気
３１  第１高速気流
３  空気
３２  第２高速気流
４  隔離部材
４１  制御ボックス
４１１  表示スクリーン
４１２  タッチキー
４２  隔離網
５  ヒータ
【図１】
2018128013.tif 000003
【図２】
2018128013.tif 000004
【図３】
2018128013.tif 000005
【図４】
2018128013.tif 000006
【図５】
2018128013.tif 000007
【図６】
2018128013.tif 000008
【図７】
2018128013.tif 000009
【図８】
2018128013.tif 000010